(57)【要約】【課題】波形の記録のための装置を外部に接続することなく、且つ、装置の大幅な複雑化を招くことなく、入力されたアナログ信号の波形の記憶を行う。【解決手段】映像用Ａ／Ｄ変換部１３１から出力される信号または音声用Ａ／Ｄ変換部１３２Ｌ，１３２Ｒから出力される信号のうちの少なくとも一方の信号を、波形情報として、情報記録手段２を介して情報記録媒体２０，３１に記録する波形記録制御手段２８と、情報記録媒体２０，３１に記録された波形情報を情報記録手段２を介して読み出すとともに、読み出した波形情報により示される波形を示す画像信号を生成して出力することにより、映像信号を画像として表示する表示装置３３に、波形情報により示される波形を表示する波形表示制御手段２９とを備えている。【選択図】  図１
2007058932.tif 000002
【特許請求の範囲】
【請求項１】
アナログ映像信号をデジタル映像信号に変換して出力する映像用Ａ／Ｄ変換部と、
左チャンネルのアナログ音声信号をデジタル音声信号に変換して出力する左音声用Ａ／Ｄ変換部と、
右チャンネルのアナログ音声信号をデジタル音声信号に変換して出力する右音声用Ａ／Ｄ変換部と、
映像用Ａ／Ｄ変換部から出力されるデジタル映像信号を圧縮した圧縮映像信号と、左音声用Ａ／Ｄ変換部から出力されるデジタル音声信号と右音声用Ａ／Ｄ変換部から出力されるデジタル音声信号とを圧縮した圧縮音声信号とを含む映像音声情報を生成する圧縮手段と、
映像音声情報を情報記録媒体に記録する情報記録手段とを備えた映像音声記録再生装置において、
映像用Ａ／Ｄ変換部から出力される信号については映像用Ａ／Ｄ変換部に入力されたアナログ信号の波形を示す情報であると見なし、左音声用Ａ／Ｄ変換部から出力される信号については左音声用Ａ／Ｄ変換部に入力されたアナログ信号の波形を示す情報であると見なし、右音声用Ａ／Ｄ変換部から出力される信号については右音声用Ａ／Ｄ変換部に入力されたアナログ信号の波形を示す情報であると見なすことによって、映像用Ａ／Ｄ変換部から出力される信号または左音声用Ａ／Ｄ変換部から出力される信号または右音声用Ａ／Ｄ変換部から出力される信号のうちの少なくともひとつの信号を、波形情報として、情報記録手段を介して情報記録媒体に記録する波形記録制御手段と、
情報記録媒体に記録された波形情報を情報記録手段を介して読み出すとともに、読み出した波形情報により示される波形を示す画像信号を生成して出力することにより、商用放送等の映像信号を画像として表示する表示装置に、波形情報により示される波形を表示する波形表示制御手段とを備えたことを特徴とする映像音声記録再生装置。
【請求項２】
アナログ映像信号をデジタル映像信号に変換して出力する映像用Ａ／Ｄ変換部と、
アナログ音声信号をデジタル音声信号に変換して出力する左音声用Ａ／Ｄ変換部と、
映像用Ａ／Ｄ変換部から出力されるデジタル映像信号を圧縮した圧縮映像信号と音声用Ａ／Ｄ変換部から出力されるデジタル音声信号を圧縮した圧縮音声信号とを含む映像音声情報を生成する圧縮手段と、
映像音声情報を情報記録媒体に記録する情報記録手段とを備えた映像音声記録再生装置において、
映像用Ａ／Ｄ変換部から出力される信号については映像用Ａ／Ｄ変換部に入力されたアナログ信号の波形を示す情報であると見なし、音声用Ａ／Ｄ変換部から出力される信号については音声用Ａ／Ｄ変換部に入力されたアナログ信号の波形を示す情報であると見なすことによって、映像用Ａ／Ｄ変換部から出力される信号または音声用Ａ／Ｄ変換部から出力される信号のうちの少なくとも一方の信号を、波形情報として、情報記録手段を介して情報記録媒体に記録する波形記録制御手段と、
情報記録媒体に記録された波形情報を情報記録手段を介して読み出すとともに、読み出した波形情報により示される波形を示す画像信号を生成して出力することにより、商用放送等の映像信号を画像として表示する表示装置に、波形情報により示される波形を表示する波形表示制御手段とを備えたことを特徴とする映像音声記録再生装置。
【発明の詳細な説明】
【技術分野】
【０００１】
本発明は、アナログ映像信号をデジタル映像信号に変換する映像用Ａ／Ｄ変換部と、アナログ音声信号をデジタル音声信号に変換する左音声用Ａ／Ｄ変換部とを備えた映像音声記録再生装置に係り、より詳細には、映像用Ａ／Ｄ変換部から出力される信号については映像用Ａ／Ｄ変換部に入力されたアナログ信号の波形を示す情報であると見なし、音声用Ａ／Ｄ変換部から出力される信号については音声用Ａ／Ｄ変換部に入力されたアナログ信号の波形を示す情報であると見なすことによって、映像用Ａ／Ｄ変換部から出力される信号または音声用Ａ／Ｄ変換部から出力される信号の少なくとも一方の信号を、波形情報として、情報記録媒体に記録する映像音声記録再生装置に関する。
【背景技術】
【０００２】
信号波形を表示する装置としては、アナログ式やデジタル式のオシロスコープが一般的であるが、これらの装置は高価である。このため、これらの高価な装置を用いることなく、信号波形を表示可能にする技術が提案されている（第１の従来技術とする）。すなわち、この技術は、アナログ映像信号をデジタル映像信号に変換するＡ／Ｄ変換部と、Ａ／Ｄ変換部から出力されるデジタル映像信号を処理するデータ処理部と、データ処理部から出力されるデジタル映像信号をアナログ映像信号に変換して、テレビ受像機に出力するＤ／Ａ変換部とを備えた装置に適用したものとなっている。そして、Ａ／Ｄ変換部の出力をＣＰＵに取り込み、縦軸においてＡ／Ｄ変換部の出力値を示すグラフをビデオメモリ上に画像として生成している。且つ、ビデオメモリに生成した画像を所定方式で読み出し、Ｄ／Ａ変換部によってアナログ映像信号に変換してテレビ受像機に出力している。このため、Ａ／Ｄ変換部に入力される信号波形がテレビ受像機において、グラフとして表示される（例えば、特許文献１参照）。
【０００３】
また、以下に示す技術が提案されている（第２の従来技術とする）。すなわち、この技術では、デジタルオシロスコープに内蔵された表示手段に入力される信号に基づき、前記表示手段に表示される信号波形と同じ波形形状が画像として示されるテレビ用の映像信号を生成している。従って、テレビ画面において信号波形を観測することが可能になる。また、この映像信号をビデオテープ等に録画するときでは、信号波形を長時間に渡って記録可能となることも併せて開示されている（例えば、特許文献２参照）。
【０００４】
【特許文献１】特開２００３−３１５３６８号公報
【特許文献２】特開平４−３３２８７３号公報
【発明の開示】
【発明が解決しようとする課題】
【０００５】
しかしながら上記技術を用いる場合には、以下に示す問題を生じていた。すなわち、第１の従来技術においては、Ａ／Ｄ変換部に入力される信号波形をテレビ受像機に表示することが開示されているに過ぎないので、信号波形を記録したいと思う場合では、第１の従来技術は、適用することが困難な技術となっている。
【０００６】
また、第２の従来技術においては、信号波形を記録しようとする場合、生成された映像信号をビデオカセットレコーダに導き、記録する必要がある。すなわち、信号波形を記録しようとするときには、ビデオカセットレコーダを接続する必要があり、信号波形の記録時の装置のセッティングが煩わしいものになるという問題がある。
【０００７】
本発明は、上記の問題点を解決するため創案されたものであり、その目的は、アナログ信号のサンプリングに、アナログ映像信号をデジタル映像信号に変換するＡ／Ｄ変換部やアナログ音声信号をデジタル音声信号に変換するＡ／Ｄ変換部を用いるとともに、サンプリングにより得られた信号を、圧縮されたデジタル映像音声信号の記録に使用される情報記録媒体に記録することにより、波形の記録のための装置を外部に接続することなく、且つ、装置の大幅な複雑化を招くことなく、入力されたアナログ信号の波形の記憶を行うことのできる映像音声記録再生装置を提供することにある。
【課題を解決するための手段】
【０００８】
上記の課題を解決するため、本発明に係る映像音声記録再生装置は、アナログ映像信号をデジタル映像信号に変換して出力する映像用Ａ／Ｄ変換部と、左チャンネルのアナログ音声信号をデジタル音声信号に変換して出力する左音声用Ａ／Ｄ変換部と、右チャンネルのアナログ音声信号をデジタル音声信号に変換して出力する右音声用Ａ／Ｄ変換部と、映像用Ａ／Ｄ変換部から出力されるデジタル映像信号を圧縮した圧縮映像信号と、左音声用Ａ／Ｄ変換部から出力されるデジタル音声信号と右音声用Ａ／Ｄ変換部から出力されるデジタル音声信号とを圧縮した圧縮音声信号とを含む映像音声情報を生成する圧縮手段と、映像音声情報を情報記録媒体に記録する情報記録手段とを備えた映像音声記録再生装置に適用している。そして、映像用Ａ／Ｄ変換部から出力される信号については映像用Ａ／Ｄ変換部に入力されたアナログ信号の波形を示す情報であると見なし、左音声用Ａ／Ｄ変換部から出力される信号については左音声用Ａ／Ｄ変換部に入力されたアナログ信号の波形を示す情報であると見なし、右音声用Ａ／Ｄ変換部から出力される信号については右音声用Ａ／Ｄ変換部に入力されたアナログ信号の波形を示す情報であると見なすことによって、映像用Ａ／Ｄ変換部から出力される信号または左音声用Ａ／Ｄ変換部から出力される信号または右音声用Ａ／Ｄ変換部から出力される信号のうちの少なくともひとつの信号を、波形情報として、情報記録手段を介して情報記録媒体に記録する波形記録制御手段と、情報記録媒体に記録された波形情報を情報記録手段を介して読み出すとともに、読み出した波形情報により示される波形を示す画像信号を生成して出力することにより、商用放送等の映像信号を画像として表示する表示装置に、波形情報により示される波形を表示する波形表示制御手段とを備えている。
【０００９】
すなわち、既に設けられているＡ／Ｄ変換部によってアナログ信号をサンプリングすることができる。また、既に設けられている情報記録手段を用いて、サンプリングにより得られた信号を情報記録媒体に記録することができる。また、３チャンネルのアナログ信号を同時にサンプリングして記録することができる。
【００１０】
また本発明に係る映像音声記録再生装置は、アナログ映像信号をデジタル映像信号に変換して出力する映像用Ａ／Ｄ変換部と、アナログ音声信号をデジタル音声信号に変換して出力する左音声用Ａ／Ｄ変換部と、映像用Ａ／Ｄ変換部から出力されるデジタル映像信号を圧縮した圧縮映像信号と音声用Ａ／Ｄ変換部から出力されるデジタル音声信号を圧縮した圧縮音声信号とを含む映像音声情報を生成する圧縮手段と、映像音声情報を情報記録媒体に記録する情報記録手段とを備えた映像音声記録再生装置に適用している。そして、映像用Ａ／Ｄ変換部から出力される信号については映像用Ａ／Ｄ変換部に入力されたアナログ信号の波形を示す情報であると見なし、音声用Ａ／Ｄ変換部から出力される信号については音声用Ａ／Ｄ変換部に入力されたアナログ信号の波形を示す情報であると見なすことによって、映像用Ａ／Ｄ変換部から出力される信号または音声用Ａ／Ｄ変換部から出力される信号のうちの少なくとも一方の信号を、波形情報として、情報記録手段を介して情報記録媒体に記録する波形記録制御手段と、情報記録媒体に記録された波形情報を情報記録手段を介して読み出すとともに、読み出した波形情報により示される波形を示す画像信号を生成して出力することにより、商用放送等の映像信号を画像として表示する表示装置に、波形情報により示される波形を表示する波形表示制御手段とを備えている。
【００１１】
すなわち、既に設けられているＡ／Ｄ変換部によってアナログ信号をサンプリングすることができる。また、既に設けられている情報記録手段を用いて、サンプリングにより得られた信号を情報記録媒体に記録することができる。
【発明の効果】
【００１２】
本発明によれば、既に設けられているＡ／Ｄ変換部によってアナログ信号をサンプリングすることができる。また、既に設けられている情報記録手段を用いて、サンプリングにより得られた信号を情報記録媒体に記録することができる。このため、波形の記録のための装置を外部に接続することなく、且つ、装置の大幅な複雑化を招くことなく、入力されたアナログ信号の波形の記憶を行うことのできる。また、３チャンネルのアナログ信号を同時にサンプリングして記録することもできるので、極めて高度な波形解析も容易に行うことができるという効果も併せて得ることができる。
【００１３】
また、本発明によれば、既に設けられているＡ／Ｄ変換部によってアナログ信号をサンプリングすることができる。また、既に設けられている情報記録手段を用いて、サンプリングにより得られた信号を情報記録媒体に記録することができる。このため、波形の記録のための装置を外部に接続することなく、且つ、装置の大幅な複雑化を招くことなく、入力されたアナログ信号の波形の記憶を行うことのできる。
【発明を実施するための最良の形態】
【００１４】
以下、本発明の実施の形態について図を参照して説明する。
図１は、本発明に係る映像音声記録再生装置の一実施形態であるＨＤＤ一体型ＤＶＤレコーダの電気的構成を示すブロック線図である。なお、以下における説明では、映像信号（音声信号を含む）の記録や再生を行うときのモードを通常モードと称し、信号波形の表示や記録、記録された信号波形の表示を行うときのモードをオシロモードと称する（オシロモードは、工場において使用されるテストモード等の特殊モードのうちのひとつのモードとして設けられている）。
【００１５】
図において、チューナ部１は、主制御手段５から指示されたチャンネルの商用放送を受信するとともに、受信して得られたアナログ映像信号をスイッチ１１１に出力する。また受信して得られた左チャンネルのアナログ音声信号をスイッチ１１２Ｌに出力し、右チャンネルのアナログ音声信号をスイッチ１１２Ｒに出力する。
【００１６】
映像入力端子１０１には、通常モードとなるときではアナログ映像信号が入力され、オシロモードとなるときでは、信号波形の表示や記録の対象となるアナログ信号が入力される。そして、入力された信号はスイッチ１１１に送出される。音声入力端子１０２Ｌには、通常モードとなるときでは左チャンネルのアナログ音声信号が入力され、オシロモードとなるときでは、信号波形の表示や記録の対象となるアナログ信号が入力される。そして、入力された信号はスイッチ１１２Ｌに送出される。音声入力端子１０２Ｒには、通常モードとなるときでは右チャンネルのアナログ音声信号が入力され、オシロモードとなるときでは、信号波形の表示や記録の対象となるアナログ信号が入力される。そして、入力された信号はスイッチ１１２Ｒに送出される。
【００１７】
スイッチ１１１は、チューナ部１から出力されるアナログ映像信号と、映像入力端子１０１に入力される信号（アナログ映像信号またはアナログ信号）とを切り換えてレベル設定部１２１に送出する。なお、スイッチ１１１から出力される信号は、通常モードではアナログ映像信号であり、オシロモードではアナログ信号となるが、以下では、説明を簡明とするため、スイッチ１１１から送出される信号については、アナログ信号と称する。
【００１８】
スイッチ１１２Ｌは、チューナ部１から出力される左チャンネルのアナログ音声信号と、音声入力端子１０２Ｌに入力される信号（アナログ音声信号またはアナログ信号）とを切り換えてレベル設定部１２２Ｌに送出する。なお、スイッチ１１２Ｌから出力される信号は、通常モードでは左チャンネルのアナログ音声信号であり、オシロモードではアナログ信号となるが、以下では、説明を簡明とするため、スイッチ１１２Ｌから送出される信号については、アナログ信号と称する。
【００１９】
スイッチ１１２Ｒは、チューナ部１から出力される右チャンネルのアナログ音声信号と、音声入力端子１０２Ｒに入力される信号（アナログ音声信号またはアナログ信号）とを切り換えてレベル設定部１２２Ｒに送出する。なお、スイッチ１１２Ｒから出力される信号は、通常モードでは右チャンネルのアナログ音声信号であり、オシロモードではアナログ信号となるが、以下では、説明を簡明とするため、スイッチ１１２Ｒから送出される信号については、アナログ信号と称する。
【００２０】
レベル設定部１２１，１２２Ｌ，１２２Ｒは、減衰量が制御可能なアッテネータであり、レベル設定部１２１は、スイッチ１１１から出力されるアナログ信号を、主制御手段５から指示された減衰量でもってそのレベルを減衰させた後、映像用Ａ／Ｄ変換部１３１に送出する。レベル設定部１２２Ｌは、スイッチ１１２Ｌから出力されるアナログ信号を、主制御手段５から指示された減衰量でもってそのレベルを減衰させた後、左音声用Ａ／Ｄ変換部（音声用Ａ／Ｄ変換部）１３２Ｌに送出する。レベル設定部１２２Ｒは、スイッチ１１２Ｒから出力されるアナログ信号を、主制御手段５から指示された減衰量でもってそのレベルを減衰させた後、右音声用Ａ／Ｄ変換部（音声用Ａ／Ｄ変換部）１３２Ｒに送出する。
【００２１】
映像用Ａ／Ｄ変換部１３１は、レベル設定部１２１から出力されるアナログ映像信号（アナログ信号）をデジタル映像信号（デジタル信号）に変換し、信号処理部３に出力する。左音声用Ａ／Ｄ変換部１３２Ｌは、レベル設定部１２２Ｌから出力されるアナログ音声信号（アナログ信号）をデジタル音声信号（デジタル信号）に変換し、信号処理部３に出力する。右音声用Ａ／Ｄ変換部１３２Ｒは、レベル設定部１２２Ｒから出力されるアナログ音声信号（アナログ信号）をデジタル音声信号（デジタル信号）に変換し、信号処理部３に出力する。
【００２２】
ディスクドライブ部１１は、通常モードとなるときでは、信号処理部３より出力される映像音声情報（映像用Ａ／Ｄ変換部１３１から出力されるデジタル映像信号を圧縮した圧縮映像信号と、音声用Ａ／Ｄ変換部１３２Ｌ，１３２Ｒから出力されるデジタル音声信号を圧縮した圧縮音声信号とを含む）を、ＤＶＤ（情報記録媒体）３１に記録する。また、ＤＶＤ３１に記録された映像音声情報を再生して信号処理部３に出力する。
【００２３】
また、ディスクドライブ部１１は、オシロモードとなるときでは、信号処理部３より出力され、映像用Ａ／Ｄ変換部１３１に入力されたアナログ信号の信号波形を示す波形情報や、音声用Ａ／Ｄ変換部１３２Ｌ，１３２Ｒに入力されたアナログ信号の信号波形を示す波形情報をＤＶＤ３１に記録する。また、ＤＶＤ３１に記録された波形情報を再生して信号処理部３に出力する。
【００２４】
ハードディスクドライブ部（以下では、ＨＤＤ部と称する）１２は、その内部に、情報記録媒体であるハードディスク２０を備えており、通常モードとなるときでは、信号処理部３より出力される映像音声情報（映像用Ａ／Ｄ変換部１３１から出力されるデジタル映像信号を圧縮した圧縮映像信号と、音声用Ａ／Ｄ変換部１３２Ｌ，１３２Ｒから出力されるデジタル音声信号を圧縮した圧縮音声信号とを含む）をハードディスク２０に記録する。また、ハードディスク２０に記録された映像音声情報を再生して信号処理部３に出力する。
【００２５】
また、ＨＤＤ部１２は、オシロモードとなるときでは、信号処理部３より出力され、映像用Ａ／Ｄ変換部１３１に入力されたアナログ信号の信号波形を示す波形情報や、音声用Ａ／Ｄ変換部１３２Ｌ，１３２Ｒに入力されたアナログ信号の信号波形を示す波形情報をハードディスク２０に記録する。また、ハードディスク２０に記録された波形情報を再生して信号処理部３に出力する。
【００２６】
信号処理部３は、通常モードにおける記録動作となるときでは、映像用Ａ／Ｄ変換部１３１から出力されるデジタル映像信号を、フレームメモリ２１や圧縮手段２３を用い、ＭＰＥＧ２方式で圧縮処理する。また、左音声用Ａ／Ｄ変換部１３２Ｌから出力されるデジタル音声信号と、右音声用Ａ／Ｄ変換部１３２Ｒから出力されるデジタル音声信号とをＡＣ−３方式等によって圧縮処理する（音声信号をリニア記録するときでは、圧縮処理をしない）。そして、圧縮処理した映像信号や音声信号等をストリーム処理して得られた映像音声情報を、ディスクドライブ部１１やＨＤＤ部１２に出力する。
【００２７】
また、通常モードの再生動作となるときでは、ディスクドライブ部１１やＨＤＤ部１２から出力される映像音声情報中の圧縮映像信号を、フレームメモリ２１や伸長手段２４を用い、ＭＰＥＧ２方式で伸長処理してデジタル映像信号を復調する。また、圧縮音声信号をＡＣ−３方式等で伸長することにより、デジタル音声信号を復調する。そして、復調したデジタル映像信号とデジタル音声信号とをＤ／Ａ変換部６に出力する。
【００２８】
また、マイコン７からの指示に従い、ディスクドライブ部１１から出力された映像音声情報をＨＤＤ部１２に転送する。また、ＨＤＤ部１２から出力された映像音声情報をディスクドライブ部１１に転送する。
【００２９】
また、信号処理部３は、オシロモードにおける表示動作となるときでは、Ａ／Ｄ変換部１３１，１３２Ｌ、１３２Ｒから出力されるデジタル信号の波形形状を示す画像信号を生成し、Ｄ／Ａ変換部６に出力することによって、Ａ／Ｄ変換部１３１，１３２Ｌ、１３２Ｒに入力されるアナログ信号の信号波形をテレビ受像機（表示装置）３３に表示する。また、記録動作となるときでは、映像用Ａ／Ｄ変換部１３１から出力されるデジタル信号、左音声用Ａ／Ｄ変換部１３２Ｌから出力されるデジタル信号、右音声用Ａ／Ｄ変換部１３２Ｒから出力されるデジタル信号を、信号波形を示す波形情報として、ディスクドライブ部１１あるいはＨＤＤ部１２に送出する。
【００３０】
また、再生動作となるときでは、ディスクドライブ部１１やＨＤＤ部１２から出力される波形情報の波形を示す画像信号を生成し、Ｄ／Ａ変換部６に出力することによって、ＤＶＤ３１やハードディスク２０に記録された波形情報に基づく信号波形を、テレビ受像機３３に表示する。このため、波形記録制御手段２８と波形表示制御手段２９とを備えている。
【００３１】
詳細には、波形記録制御手段２８は、映像用Ａ／Ｄ変換部１３１から出力される信号については、映像用Ａ／Ｄ変換部１３１に入力されたアナログ信号の波形を示す情報であると見なし、左音声用Ａ／Ｄ変換部１３２Ｌから出力される信号については、左音声用Ａ／Ｄ変換部１３２Ｌに入力されたアナログ信号の波形を示す情報であると見なし、右音声用Ａ／Ｄ変換部１３２Ｒから出力される信号については、右音声用Ａ／Ｄ変換部１３２Ｒに入力されたアナログ信号の波形を示す情報であると見なすことによって、映像用Ａ／Ｄ変換部１３１から出力される信号、左音声用Ａ／Ｄ変換部１３２Ｌから出力される信号、右音声用Ａ／Ｄ変換部１３２Ｒから出力される信号を、波形情報として、ディスクドライブ部１１を介して、ＤＶＤ３１に記録する。あるいは、前記信号を、ＨＤＤ部１２を介して、ハードディスク２０に記録する。
【００３２】
波形表示制御手段２９は、映像用Ａ／Ｄ変換部１３１、左音声用Ａ／Ｄ変換部１３２Ｌ、右音声用Ａ／Ｄ変換部１３２Ｒに入力されたアナログ信号の波形表示となるときには、映像用Ａ／Ｄ変換部１３１、左音声用Ａ／Ｄ変換部１３２Ｌ、右音声用Ａ／Ｄ変換部１３２Ｒのうち、ユーザによって指定されたＡ／Ｄ変換部から出力される信号をフレームメモリ２１に記憶する。且つ、フレームメモリ２１に記憶した信号に基づき、波形を示す画像を、ＯＳＤ２２のビットマップメモリ上に生成する。そして、ＯＳＤ２２上に生成した波形画像を、デジタル映像信号としてＤ／Ａ変換部６に出力することにより、テレビ受像機３３に信号波形を表示する。
【００３３】
また、波形表示制御手段２９は、ＤＶＤ３１に記録された波形情報の表示となるときには、ＤＶＤ３１に記録された波形情報を、ディスクドライブ部１１を介して読み出し、フレームメモリ２１に記憶する。そして、フレームメモリ２１に記憶した波形情報に基づき、波形を示す画像を、オンスクリーンディスプレイ（以下ではＯＳＤと称する）２２のビットマップメモリ上に生成する。そして、ＯＳＤ２２上に生成した波形画像を、デジタル映像信号としてＤ／Ａ変換部６に出力することにより、テレビ受像機３３に信号波形を表示する。
【００３４】
また、ハードディスク２０に記録された波形情報の表示となるときでは、ハードディスク２０に記録された波形情報を読み出してフレームメモリ２１に記憶する。そして、同様の処理を行うことにより、ハードディスク２０に記録された波形情報の波形をテレビ受像機３３に表示する。
【００３５】
なお、映像用Ａ／Ｄ変換部１３１（以下では、チャンネル１とする）、左音声用Ａ／Ｄ変換部１３２Ｌ（以下では、チャンネル２とする）、右音声用Ａ／Ｄ変換部１３２Ｒ（以下では、チャンネル３とする）に入力されるアナログ信号に関しては、３つのチャンネルのそれぞれに入力されたアナログ信号の波形の同時表示や同時記録、あるいは、３つのチャンネルのうちの任意の２つのチャンネルのそれぞれに入力されたアナログ信号の波形の同時表示や同時記録、あるいは、任意の１つのチャンネルに入力されたアナログ信号の波形の表示や記録を行うことができるようになっている。すなわち、最大では、３チャンネルのアナログ信号の波形の表示や波形の記録を行うことが可能になっている。
【００３６】
入力部４は、図２に示す装置本体４１の前面パネルに設けられた電源キー等のキースイッチや、リモートコントローラ（以下では、リモコンと称する）３２から送信される赤外線信号を受光する受光ユニット等を備えており、ユーザからの指示が入力される。また、入力されたユーザからの指示を主制御手段５に出力する。Ｄ／Ａ変換部６は、信号処理部３から出力されるデジタル映像信号をアナログ映像信号に変換してテレビ受像機３３に送出する。また、信号処理部３から出力されるデジタル音声信号をアナログ音声信号に変換して、テレビ受像機３３に出力する。
【００３７】
主制御手段５は、マイクロコンピュータを主要部として構成されており、通常モードとなるときでは、ＨＤＤ一体型ＤＶＤレコーダとしての主要動作を制御する。すなわち、リモコン３２等に入力されたユーザの指示に従って、チューナ部１が受信するチャンネルを制御する。また、信号処理部３を制御（信号処理部３を介したディスクドライブ部１１やＨＤＤ部１２の制御を含む）することによって、ＤＶＤ３１に記録された映像音声情報を再生し、テレビ受像機３３に表示する制御を行う。また、チューナ部１が受信した番組をＤＶＤ３１に記録する制御を行う。
【００３８】
また、ハードディスク２０に記録された映像音声情報を再生して、テレビ受像機３３に表示する制御を行う。また、チューナ部１が受信した番組をハードディスク２０に記録する制御を行う。また、ディスクドライブ部１１から出力される映像音声情報をＨＤＤ部１２に転送して記録する制御、および、ＨＤＤ部１２から出力される映像音声情報をディスクドライブ部１１に転送してＤＶＤ３１に記録する制御を行う。
【００３９】
また、主制御手段５は、オシロモードとなるときでは、アナログ信号の波形の表示や記録に必要となる制御を行う。すなわち、リモコン３２に入力されたユーザの指示に従って、レベル設定部１２１，１２２Ｌ、１２２Ｒの減衰量を変更する。また、波形の表示や記録の対象となるチャンネルが、ユーザの指示に従ったチャンネルとなるように、信号処理部３の動作を制御する。また、入力されたアナログ信号の波形の表示、あるいは、ＤＶＤ３１やハードディスク２０に記録された波形情報による波形の表示となるときには、波形表示制御手段２９に、波形表示のための動作を行わせる。また、入力されたアナログ信号の波形の記録となるときには、波形記録制御手段２８に、波形情報の記録のための動作を行わせる。
【００４０】
以下に補足的な説明を行うと、ディスクドライブ部１１とＨＤＤ部１２とからなるブロック２は、請求項記載の情報記録手段となっている。
【００４１】
上記構成からなる実施形態の通常モードにおける動作は、従来技術のＨＤＤ一体型ＤＶＤレコーダとしての動作と同一であるので説明を省略し（レベル設定部１２１，１２２Ｌ、１２２Ｒの減衰量は０に設定される）、図３に示すフローチャートを参照しつつ、オシロモードとなるときの実施形態の動作を説明する。
【００４２】
いま、図２（Ａ）に示すように、被測定機器４２から出力されるアナログ信号が、映像入力端子１０１、音声入力端子１０２Ｌ，１０２Ｒに入力されているとする（時間的に高い分解能を必要とするアナログ信号については、映像入力端子１０１に入力する）。そして後、オシロモードに移行したとする。
【００４３】
オシロモードに移行すると、スイッチ１１１は映像入力端子１０１に入力されたアナログ信号をレベル設定部１２１に送出し、スイッチ１１２Ｌは音声入力端子１０２Ｌに入力されたアナログ信号をレベル設定部１２２Ｌに送出し、スイッチ１１２Ｒは音声入力端子１０２Ｒに入力されたアナログ信号をレベル設定部１２２Ｒに送出する。
【００４４】
なお、レベル設定部１２１，１２２Ｌ、１２２Ｒの減衰量（縦軸方向におけるディビジョン単位の電圧を設定する）は、オシロモードに移行したときでは、前回の設定値と同じ減衰量に設定される。また、波形表示における機能として不可欠となる時間軸方向のディビジョン単位の時間設定についても、前回の設定値と同じ値に設定される（時間軸のディビジョン単位の時間は１００μＳに設定されているとする）。
【００４５】
また、３つのチャンネルのうち、どのチャンネルに入力されたアナログ信号の波形を表示するのかを選択するボタン（図示を省略）が表示されるので、このボタンを用いて、表示するチャンネルを選択する。すなわち、チャンネル１に入力されるアナログ信号の波形、チャンネル２に入力されるアナログ信号の波形、チャンネル３に入力されるアナログ信号の波形のうち、どのチャンネルに入力されるアナログ信号の波形を表示させるのかを選択する（同時に３つのチャンネルを表示することも可能）（ステップＳ１）。
【００４６】
いま、波形表示されるチャンネルとして、チャンネル１とチャンネル２とが選択されたとする。このときでは、映像用Ａ／Ｄ変換部１３１から出力されるデジタル信号と左音声用Ａ／Ｄ変換部１３２Ｌから出力されるデジタル信号とがフレームメモリ２１に記憶される。そして、波形表示制御手段２９は、フレームメモリ２１に記憶されたデジタル信号に基づき、チャンネル１に入力されたアナログ信号の波形、および、チャンネル２に入力されたアナログ信号の波形の双方を示す画像を、ＯＳＤ２２上に生成する。このため、テレビ受像機３３の画面の波形表示エリア３３３には、２つの波形が表示される（ステップＳ２）。
【００４７】
なお、このときでは、波形の表示と併せて、縦軸方向のディビジョン単位の電圧と、時間軸方向のディビジョン単位の時間とが表示される（３３１，３３２により示す）。このときの波形表示において、表示される波形の振幅が適切でないときには、リモコン３２を用いて電圧軸の変更を指示すると、ディビジョン単位の電圧を変更するためのボタンがテレビ受像機３３の所定のエリアに表示される（図示を省略）ので、そのボタンを用いてディビジョン単位の電圧の変更を指示する。ディビジョン単位の電圧の変更を指示されると、波形表示制御手段２９は、変更の対象となったチャンネルに対応するレベル設定部（１２１，１２２Ｌ、１２２Ｒのうちのひとつ）の減衰量を変更する（ステップＳ３，Ｓ１１）。そして後、動作をステップＳ２に移行する。このため、テレビ受像機３３には、ディビジョン単位の電圧が変更されて波形が表示される。
【００４８】
また、波形が表示された状態において、ディビジョン単位の時間の変更を指示すると、ディビジョン単位の時間を変更するためのボタンがテレビ受像機３３の所定のエリアに表示される（図示を省略）ので、そのボタンを用いてディビジョン単位の時間の変更を指示する。ディビジョン単位の時間の変更を指示されると、波形表示制御手段２９は、対象となるアナログ信号をデジタル信号に変換するＡ／Ｄ変換部の出力の間引き率を変更することによって、ディビジョン単位の時間を変更する（ステップＳ４，Ｓ１２）。そして後、動作をステップＳ２に移行する。このため、テレビ受像機３３には、ディビジョン単位の時間が変更されて、波形が表示される。
【００４９】
なお、ディビジョン単位の時間については、間引き率を最小とする（表示におけるドット数との関係で、時間軸方向における全情報の表示はできないので、最少限度の間引き（例えば、１０％等）は必要となっている。）ときの値が、設定することが可能なディビジョン単位の最小時間となっている（最大の時間的分解能が得られる）。
【００５０】
時間的分解能の最大値について説明すると、映像用Ａ／Ｄ変換部１３１のサンプリング周波数は１３．５ＭＨｚであり、音声用Ａ／Ｄ変換部１３２Ｌ，１３２Ｒのサンプリング周波数は１９２ＫＨｚとなっていて、映像用Ａ／Ｄ変換部１３１のサンプリング周波数は、音声用Ａ／Ｄ変換部１３２Ｌ，１３２Ｒのサンプリング周波数の約７０倍となっている。このため、チャンネル１のディビジョン単位の設定可能な最小時間は、チャンネル２やチャンネル３のディビジョン単位の設定可能な最小時間の１／５０となっている。つまり、チャンネル１を使用するときでは、チャンネル２やチャンネル３を使用する場合よりも、５０倍も高い分解能に設定することができる。
【００５１】
図３を参照した説明に戻ると、表示するチャンネルの変更を指示すると、動作はステップＳ５からステップＳ１に移行する。従って、テレビ受像機３３の画面には、表示するチャンネルを選択するためのボタンが表示されるので、このボタンを用いて、波形を表示するチャンネルを変更する。そして後、動作はステップＳ２に移行する。このため、テレビ受像機３３には、変更されたチャンネルの波形が表示される。
【００５２】
上記した動作により、所望の波形がテレビ受像機３３に表示された状態において、リモコン３２を用いて記録の指示を入力すると、動作は、ステップＳ６からステップＳ１５に移行し、波形情報を記録するための情報記録媒体を選択するためのボタン（ＤＶＤ３１とハードディスク２０とのうちの一方を選択するボタン）が所定エリアに表示される（図示を省略）。このボタンを用いて情報記録媒体を選択した後、記録開始の指示を入力すると、選択された情報記録媒体に、対応するＡ／Ｄ変換部から出力されるデジタル信号が、波形情報として記録される（ステップＳ１６，Ｓ１７）。
【００５３】
波形情報の記録は、記録停止の指示が入力されるまで継続される。このため、リモコン３２を用いて記録停止の指示を入力すると、波形情報の記録は停止される（ステップＳ１８，Ｓ１９）。そして後、記録した波形情報を識別するための情報を入力すると、入力された情報は、波形情報が記録された情報記録媒体と同じ情報記録媒体に、記録された波形情報に対応付ける形で記録される。
【００５４】
なお、チャンネル１のディビジョン単位の時間の最小値、すなわち、時間的な分解能の最高値については、記録を行うときでは、表示のみを行うときほどに高くすることはできなくなっている。これは、映像用Ａ／Ｄ変換部１３１から出力されるデジタル信号について、表示に対応するデジタル信号の全てをＤＶＤ３１やハードディスク２０に記録するには、映像用Ａ／Ｄ変換部１３１から出力されるデジタル信号の単位時間当たりのビット量が多過ぎるためである。
【００５５】
すなわち、チャンネル１の分解能については、表示のみを行うときでは最も高い分解能とすることができる。しかし、ハードディスク２０に記録するときでは、ハードディスク２０に記録するときのビットレートの制限のため、分解能は、表示のみのときよりも低い値に制限される。また、ＤＶＤ３１に記録するときでは、ＤＶＤ３１に記録するときのビットレートの最大値が、ハードディスク２０に記録するときのビットレートの最大値よりも小さいため、その分解能は、ハードディスク２０に記録するときの分解能よりも低い値に制限される。
【００５６】
なお、ディビジョン単位の時間が上記した制限を超える値に設定されている場合、本実施形態では、情報記録媒体を選択した時点で、ディビジョン単位の時間の変更を求める（ディビジョン単位の時間を大きくする（分解能を低くする）ことを求める）メッセージを表示するようになっている。且つ、選択された情報記録媒体に対して、設定可能となるディビジョン単位の時間の範囲を表示するようにしている。
【００５７】
なお、チャンネル１を使用することなく、チャンネル２やチャンネル３を使用する場合では、音声用Ａ／Ｄ変換部１３２Ｌ，１３２Ｒから出力される単位時間当たりのビット量が少ない（上位の１０ビットのみが使用され、それより下位のビットは無視される）ので、表示のみとなるときのディビジョン単位の時間の最小値と、ＤＶＤ３１やハードディスク２０に記録するときのディビジョン単位の時間の最小値とは、同じ値となっていて、記録時に制限される事態は生じないようになっている。
【００５８】
なお、ステップＳ３〜Ｓ７のループ動作において、終了が指示されたときには、情報記録媒体への波形情報の記録を行うことなく、動作を終了する（ステップＳ７）。
【００５９】
図４は、情報記録媒体に記録された波形情報を表示させるときの実施形態の主要動作を示すフローチャートである。必要に応じて同図を参照しつつ、記録された波形情報の表示時の動作を説明する。なお、このときでは、図２（Ｂ）に示したように、装置本体４１から出力されるアナログ映像信号をテレビ受像機３３に接続するのみでよい。
【００６０】
記録された波形情報の表示を指示したときには、どの情報記録媒体の波形情報を表示するのかを指示するためのボタンが表示される。すなわち、ＤＶＤ３１に記録された波形情報の表示か、ハードディスク２０に記録された波形情報の表示かを選択するためのボタン（図示を省略）が表示されるので、このボタンを操作することにより、ＤＶＤ３１かハードディスク２０かを選択する（ステップＳ２１）。表示させようとする波形情報が記録された情報記録媒体を選択すると、選択された情報記録媒体に記録されている波形情報の一覧（対応付けられた識別情報の一覧）が表示されるので、この一覧から、表示させたい波形情報を選択する（ステップＳ２２，Ｓ２３）。
【００６１】
波形情報を選択すると、記録されたときの時間の流れに沿って、選択された波形情報により示される波形が、テレビ受像機３３に表示される。すなわち、記録時にテレビ受像機３３に表示されていた波形変化と同じ波形変化がテレビ受像機３３において再現される。（ステップＳ２４）。そして、以下では、表示する波形の時間位置の変更かどうか（ステップＳ２５）、現在の表示波形を静止表示するかどうか（ステップＳ２６）、静止表示を解除するかどうか（ステップＳ２７）、表示の終了かどうか（ステップＳ２８）を調べるループ動作に移行する。
【００６２】
このループ動作において、時間位置の変更を指示したときでは、動作は、ステップＳ２５からステップＳ３２に移行する。そして、ステップＳ３２においては、波形情報の全時間分を示す時間軸バーと、時間軸バーにおいて、現在の表示の時間位置を示すマーカとが表示される。このため、ユーザは、マーカを、表示させたい時間位置に移動させることでもって、表示の時間位置を変更する。
【００６３】
すなわち、例えば、現在表示されている波形より５分前に記録された波形を表示させたいときでは、マーカを、時間軸バーにおける現在位置から、５分前の位置に移動させる。この操作が終了すると、動作は、ステップＳ２４に移行する。従って、変更された時間位置からの波形が表示される。
【００６４】
また、静止表示を指示したときでは、動作は、ステップＳ２６からステップＳ３１に移行し、現在テレビ受像機３３に表示されている１画面分の波形が、静止画として表示される。つまり、表示される波形が変化しなくなる。このため、波形の詳細な解析を容易に行うことができるようになる。また、静止解除を指示（静止画として表示しているときにのみ有効となる）したときでは、動作は、ステップＳ２７からステップＳ２４に移行し、テレビ受像機３３には、記録時の時間経過に沿って変化する波形が表示される。すなわち、記録時にテレビ受像機３３に表示されていた波形変化と同じ波形変化がテレビ受像機３３に再現して表示される。また、ループ動作において、終了を指示したときでは、波形の表示の終了となる。
【００６５】
以上説明したように、波形情報は、大容量の情報を記録可能なＤＶＤ３１やハードディスク２０に記録されるので、オシロモードとするときでは、ＨＤＤ一体型ＤＶＤレコーダを、長時間に渡って波形を記録することが可能な、簡易型のデータロガーとして使用することができる。
【００６６】
また、過渡的な波形情報についても、長時間に渡る記録を行うときでは、容易に波形情報として補足し、記録できるので、高価なデジタルストレージオシロスコープを用いることなく、過渡的な現象の解析をも、容易に行うことができるようになっている。
【００６７】
また、テレビ受像機３３に表示された波形から、波形出力が規定の形状となっているかどうかの確認を容易に行うことができるので、そのレベルが規定されている映像信号の波形を表示させるときでは、波形表示の機能を、より有用なものとすることとができる。
【００６８】
なお、本発明は上記実施形態に限定されず、情報記録媒体としては、ＤＶＤ３１とハードディスク２０との双方を使用可能とする構成とした場合について説明したが、情報記録媒体としてＤＶＤ３１のみを使用可能とする構成（ＤＶＤレコーダ）の場合にも、同様に適用することができる。
【００６９】
また、選択された情報記録媒体に対して、設定可能となるディビジョン単位の時間の範囲（時間的分解能の範囲）については、例えば、ステップＳ２において波形を表示するとき、画面の所定エリアに、ＤＶＤ３１を情報記録媒体として選択するときに設定可能となるディビジョン単位の時間の範囲（時間的分解能の範囲）と、ハードディスク２０を情報記録媒体として選択するときに設定可能となるディビジョン単位の時間の範囲（時間的分解能の範囲）とを表示する構成とすることもできる。
【００７０】
また、レベル設定部１２１，１２２Ｌ、１２２Ｒについては、構成を簡単とするため、減衰のみを行う構成とした場合について説明したが、増幅率が可変な増幅回路とすることができる。そして、この構成とするときでは、増幅回路の増幅率を１よりも大きく設定すると、微少レベルのアナログ信号にもついても、精度良く波形の記録を行うことができる。
【図面の簡単な説明】
【００７１】
【図１】本発明に係る映像音声記録装置の一実施形態であるＨＤＤ一体型ＤＶＤレコーダの電気的構成を示すブロック線図である。
【図２】測定対象となる機器と実施形態の装置本体とテレビ受像機との互いの接続状態を示す説明図である。
【図３】Ａ／Ｄ変換部に入力されたアナログ信号の波形の表示と記録とを行うときの実施形態の主要動作を示すフローチャートである。
【図４】情報記録媒体に記録された波形情報を表示させるときの実施形態の主要動作を示すフローチャートである。
【符号の説明】
【００７２】
２  情報記録手段
２０  ハードディスク（情報記録媒体）
２３  圧縮手段
２８  波形記録制御手段
２９  波形表示制御手段
３１  ＤＶＤ（情報記録媒体）
１３１  映像用Ａ／Ｄ変換部
１３２Ｌ  左音声用Ａ／Ｄ変換部（音声用Ａ／Ｄ変換部）
１３２Ｒ  右音声用Ａ／Ｄ変換部（音声用Ａ／Ｄ変換部）
【図１】
2007058932.tif 000003
【図２】
2007058932.tif 000004
【図３】
2007058932.tif 000005
【図４】
2007058932.tif 000006